(57)【特許請求の範囲】
【請求項１】
トリガー操作により容器体内の液を先端のノズルより噴霧する如く構成し、裏面周囲にスピン機構（５６）を配置した大径の第１噴出口（５３）と、裏面周囲にスピン機構（５６）を配置した小径の第２噴出口（５７）とを備えたノズル（Ｃ）を、エレメント（Ｂ）を介して本体（Ａ）に対して回動可能に嵌合し、本体（Ａ）内から第１噴出口（５３）のみに至る第１流路と、本体（Ａ）内から第２噴出口（５７）のみに至る第２流路とを、ノズル（Ｃ）の回転により切り替え可能に構成したトリガー式液体噴出器であって、エレメント（Ｂ）は前面中央に中心軸（２７）を、その外方に内部が本体（Ａ）内と連通する筒部（２８）を突設し、ノズル（Ｃ）裏面より突設した回動筒（４０）を筒部（２８）外面に回動可能に嵌合するとともに、ノズル裏面中央より突設した連結筒部（４３）を中心軸（２７）と筒部（２８）との間に液密回動が可能に嵌合し、第１流路は、中心軸（２７）の外周先端部に穿設した第１連通用溝（３０）に、連結筒部（４３）の内周後端部に穿設した第３連通用溝（４５）を連通した状態で、第１連通用溝（３０）がノズル前壁（４１）を貫通する第１通孔（６３）を介して第１噴出口（５３）に連通し、第２流路は、筒部（２８）の内周に穿設した第２連通用溝（３３）に、連結筒部（４３）の外周後端部に穿設した第４連通用溝（４６）を連通した状態で、第２連通用溝（３３）がノズル前壁（４１）を貫通する第２通孔（６４）を介して第２噴出口（５７）に連通することを特徴とするトリガー式噴霧器。
【請求項２】
筒部（２８）を、連結筒部（４３）後半部外周に液密回動する摺動筒部（２８ａ）と、摺動筒部（２８ａ）の先端にフランジ（２８ｂ）を介して延設した大径の大径筒部（２８ｃ）とで構成し、大径筒部（２８ｃ）の内周にノズル（Ｃ）裏面より突設したシール筒部（４４）を液密回動が可能に嵌合させた請求項１記載のトリガー式噴霧器。
【請求項３】
筒部（２８）を、連結筒部（４３）の全外周に液密回動可能に嵌合する摺動筒部（２８ａ）と、摺動筒部（２８ａ）の外面よりフランジ（２８ｂ）を介して二重筒状に延設するとともに、外周に回動筒（４０）を回動可能に嵌合させた嵌合筒部（２８ｃ）とで構成し、嵌合筒部（２８ｃ）の内周にノズル（Ｃ）裏面より突設したシール筒部（４４）を液密回動が可能に嵌合させた請求項１記載のトリガー式噴霧器。
【請求項４】
筒部（２８）を、連結筒部（４３）の全外周に液密且つ回動可能に嵌合させた請求項１記載のトリガー式噴霧器。
【請求項５】
ノズル（Ｃ）の本体（Ａ）に対する第１流路の連通位置と、第２流路の連通位置との他に、本体（Ａ）内と各第１噴出口（５３）及び第２噴出口（５７）とが非連通なストップ位置を設けた請求項１乃至請求項４のいずれか１項に記載のトリガー式噴霧器。
【請求項６】
第１流路及び第２流路の上流に一定圧以上で開弁する蓄圧弁を設けた請求項１乃至請求項５のいずれか１項に記載のトリガー式噴霧器。
【発明の詳細な説明】
【技術分野】
【０００１】
本発明はトリガー式噴霧器に関し、詳しくは簡単な操作を行うことで噴霧する霧の粒径を変更することができるトリガー式噴霧器に関する。
【背景技術】
【０００２】
トリガー式噴霧器として、揺動可能に設けたトリガーを引くことで内蔵ポンプ機構の作用で先端のノズルから液を噴霧するものが知られている。（例えば、特許文献１参照）
【０００３】
上記トリガー式噴霧器は、ノズル内にポンプ内と連通する蓄圧弁を備え、一定圧以上になると蓄圧弁が開放され、その下流の噴出口近傍に設けたスピン機構を介して液を噴出させることで噴出口より霧状に液を噴出しているが、用途によって霧の粒径が大きいものが相応しい場合もあり、また、小さい粒径が相応しいものもあり、従来はそれらの用途に相応した粒径の霧を噴霧するトリガー式噴霧器をそれぞれ用意していた。
【先行技術文献】
【特許文献】
【０００４】
【特許文献１】特開２００６−２０４９８９号
【発明の概要】
【発明が解決しようとする課題】
【０００５】
本発明は上記した点に鑑みてなされたもので、簡単な操作で霧の粒径を変化させることができ、噴霧器先端のノズル部分のごく一部の改良により目的を達成でき、製造上のコストの増加も極めて少なくてすみ、しかも、粒径を変化させるための切り替え構造を特殊構造として、液漏れを確実に防止するトリガー式噴霧器を提案する。
【課題を解決するための手段】
【０００６】
第１の手段として、以下の通り構成した。即ち、トリガー操作により容器体内の液を先端のノズルより噴霧する如く構成し、裏面周囲にスピン機構５６を配置した大径の第１噴出口５３と、裏面周囲にスピン機構５６を配置した小径の第２噴出口５７とを備えたノズルＣを、エレメントＢを介して本体Ａに対して回動可能に嵌合し、本体Ａ内から第１噴出口５３のみに至る第１流路と、本体Ａ内から第２噴出口５７のみに至る第２流路とを、ノズルＣの回転により切り替え可能に構成したトリガー式液体噴出器であって、エレメントＢは前面中央に中心軸２７を、その外方に内部が本体Ａ内と連通する筒部２８を突設し、ノズルＣ裏面より突設した回動筒４０を筒部２８外面に回動可能に嵌合するとともに、ノズル裏面中央より突設した連結筒部４３を中心軸２７と筒部２８との間に液密回動が可能に嵌合し、第１流路は、中心軸２７の外周先端部に穿設した第１連通用溝３０に、連結筒部４３の内周後端部に穿設した第３連通用溝４５を連通した状態で、第１連通用溝３０がノズル前壁４１を貫通する第１通孔６３を介して第１噴出口５３に連通し、第２流路は、筒部２８の内周に穿設した第２連通用溝３３に、連結筒部４３の外周後端部に穿設した第４連通用溝４６を連通した状態で、第２連通用溝３３がノズル前壁４１を貫通する第２通孔６４を介して第２噴出口５７に連通することを特徴とする。
【０００７】
第２の手段として、以下の通り構成した。即ち、前記第１の手段に於いて、筒部２８を、連結筒部４３後半部外周に液密回動する摺動筒部２８ａと、摺動筒部２８ａの先端にフランジ２８ｂを介して延設した大径の大径筒部２８ｃとで構成し、大径筒部２８ｃの内周にノズルＣ裏面より突設したシール筒部４４を液密回動が可能に嵌合させた。
【０００８】
第３の手段として、以下の通り構成した。即ち、前記第１の手段に於いて、筒部２８を、連結筒部４３の全外周に液密回動可能に嵌合する摺動筒部２８ａと、摺動筒部２８ａの外面よりフランジ２８ｂを介して二重筒状に延設するとともに、外周に回動筒４０を回動可能に嵌合させた嵌合筒部２８ｃとで構成し、嵌合筒部２８ｃの内周にノズルＣ裏面より突設したシール筒部４４を液密回動が可能に嵌合させた。
【０００９】
第４の手段として、以下の通り構成した。即ち、前記第１の手段に於いて、筒部２８を、連結筒部４３の全外周に液密且つ回動可能に嵌合させた。
【００１０】
第５の手段として、以下の通り構成した。即ち、前記第１の手段乃至第４の手段のいずれかの手段に於いて、ノズルＣの本体Ａに対する第１流路の連通位置と、第２流路の連通位置との他に、本体Ａ内と各第１噴出口５３及び第２噴出口５７とが非連通なストップ位置を設けた。
【００１１】
第６の手段として、以下の通り構成した。即ち、前記第１の手段乃至第５の手段のいずれかの手段に於いて、第１流路及び第２流路の上流に一定圧以上で開弁する蓄圧弁を設けた。
【発明の効果】
【００１２】
本発明によれば、第１流路が連通している場合には、大きい粒径の霧の噴霧が可能であり、また、第２流路に切り替えることで細かい粒径の霧の噴霧が可能であり、これらの切り替えをノズルＣを回転させるという簡単な操作で行えるため、取り扱いも極めて便利である。また、第１流路が連結筒部４３の内方位置に形成され、第２流路が連結筒部４３の外方位置に形成されているため、例えば、シール性に乏しい中心軸２７とノズル前壁４１との間に液が浸入することがあってもそれ以上に液の行き場所がなく、結果的に第１流路以外の部分に液の漏出が起こるという不都合がないという特徴がある。
【００１３】
筒部２８を、連結筒部４３後半部外周に液密回動する摺動筒部２８ａと、摺動筒部２８ａの先端にフランジ２８ｂを介して延設した大径の大径筒部２８ｃとで構成し、大径筒部２８ｃの内周にノズルＣ裏面より突設したシール筒部４４を液密回動が可能に嵌合させた場合には、第２流路に於けるこの部分の液密性をより確実に発揮することができる特徴がある。
【００１４】
筒部２８を、連結筒部４３の全外周に液密回動可能に嵌合する摺動筒部２８ａと、摺動筒部２８ａの外面よりフランジ２８ｂを介して二重筒状に延設するとともに、外周に回動筒４０を回動可能に嵌合させた嵌合筒部２８ｃとで構成し、嵌合筒部２８ｃの内周にノズルＣ裏面より突設したシール筒部４４を液密回動が可能に嵌合させた場合には、同様に第２流路に於けるこの部分の液密性をより確実に発揮することができるとともに、摺動筒部２８ａをノズルＣ裏面の直後まで延設しているので、摺動筒部２８ａとノズルＣ裏面との間の第２流路を無駄に広い空間とすることなく形成することが可能であり、例えば初期操作の際に第２流路内にエアが滞ってしまう等の不都合をより確実に防止できる利点がある。
【００１５】
筒部２８を、連結筒部４３の全外周に液密且つ回動可能に嵌合させた場合には、筒部２８をノズルＣ裏面の直後まで延設しているので、同様に、筒部２８とノズル裏面との間の第２流路を無駄に広い空間とすることなく形成することが可能であり、例えば初期操作の際に第２流路内にエアが滞ってしまう等の不都合をより確実に防止できる利点がある。
【００１６】
ノズルＣの本体Ａに対する第１流路の連通位置と、第２流路の連通位置との他に、本体Ａ内と各第１噴出口５３及び第２噴出口５７とが非連通なストップ位置を設けた場合には、トリガーＥの誤った引き込みで不用意に噴霧されるという不都合を確実に防止できる。
【００１７】
第１流路及び第２流路の上流に一定圧以上で開弁する蓄圧弁を設けた場合には、常時安定した液圧で第１流路或いは第２流路に液の導入を行えるため、常時安定した霧の状態を現出できる利点がある。
【図面の簡単な説明】
【００１８】
【図１】トリガー式噴霧器の一部切欠側面図である。（実施例１）
【図２】第１流路連通状態のノズル部分の拡大断面図である。（実施例１）
【図３】第２流路連通状態のノズル部分の拡大断面図である。（実施例１）
【図４】（イ）は図２のＸ−Ｘ線部分に於ける連通用溝を説明する説明図であり、（ロ）は図３のＹ−Ｙ線部分に於ける連通用溝を説明する説明図である。（実施例１）
【図５】第１通孔及び第２通孔の位置関係を説明する説明図である。（実施例１）
【図６】第１ノズルチップの背面図である。（実施例１）
【図７】第１流路連通状態のノズル部分の拡大断面図である。（実施例２）
【図８】第１流路連通状態のノズル部分の拡大断面図である。（実施例３）
【発明を実施するための形態】
【００１９】
以下、本発明の実施例の形態を図面を参照して説明する。
【００２０】
図１は本発明トリガー式噴霧器の実施例１を示し、トリガー式噴霧器１は、本体Ａの先端にエレメントＢを介してノズルＣを装着している。また、容器体口頸部（図示せず）に装着筒Ｄを嵌合させることで容器体に装着し、本体Ａより揺動可能に垂設したトリガーＥを引くことで、内臓ポンプ機構（図示せず）の作用で先端のノズルＣより噴出する如く構成している。内蔵ポンプ機構等は従来のこの種のトリガー式噴霧器に使用されるている機構を採用できる。
【００２１】
本発明において、ノズルＣは、図２に拡大図で示す如く、本体Ａの流路を形成する射出筒１０の先端にエレメントＢを介して回動可能に嵌合させており、その内部には蓄圧弁体Ｆを内蔵している。
【００２２】
射出筒１０は先端の先端壁１１の前面に小径シリンダ１２を突設し、その外方に大径の支持筒１３を突設している。小径シリンダ１２内には中央部が棒状に突出したコイルスプリング係止用の突部１４を突設し、先端壁１１からこのコイルスプリング係止用の突部１４を貫通する流路孔１５を穿設している。
【００２３】
エレメントＢは支持筒１３の外周に嵌合筒２０を回動不能に嵌着し、嵌合筒２０の前端縁に画壁２１を掛け渡し、画壁２１の後面中央部より後方ヘ弁座筒２２を延設し、また、弁座筒２２の外方の画壁２１後面より大径シリンダ２３を後方へ延設している。弁座筒２２の内面前部には蓄圧弁座２４を備え、後端部内面に突設した係止突条２５部分を含めた蓄圧弁座２４後方位置には切欠２６を穿設している。また、画壁２１の中央からは、中空で先端閉塞且つ後端開口の中心軸２７を突設し、中心軸２７の外方に同心円状に筒部２８を突設している。中心軸２７の基端部には、本体Ａ内と筒部２８内とを蓄圧弁を介して連通する連通孔２９を穿設しており、中心軸２７の外周前端部には第１連通用溝３０を凹設している。本例に於ける筒部２８は、後述するノズルＣの連結筒部４３外周後半部に液密回動可能に嵌合させた摺動筒部２８ａと、摺動筒部２８ａの先端よりフランジ２８ｂを介して前方へ大径筒部２８ｃを延設しており、摺動筒部２８ａの内周先端部には第２連通用溝３３を凹設している。
【００２４】
ノズルＣは、筒部２８を構成する大径筒部２８ｃの外周に回動可能に嵌合させた回動筒４０を前壁４１裏面より後方へ延設し、前壁４１の周縁より後方へ外周壁４２を延設している。また、前壁４１は回動筒４０外方部分の前壁である回動筒外前壁４１ａと回動筒４０内方部分の前壁である回動筒内前壁４１ｂとで構成しており、回動筒内前壁４１ｂは後方へ凹んで掛け渡され、回動筒内前壁４１ｂの裏面中央部からは、内周を中心軸２７外周に回動可能に密嵌させ、外周後端部を筒部２８を構成する摺動筒部２８ａの内周に回動可能に密嵌させた連結筒部４３を突設し、また、連結筒部４３の外方の回動筒内前壁４１ｂからはエレメントＢの筒部２８を構成する大径筒部２８ｃ内周に回動可能に密嵌するシール筒部４４を延設している。
【００２５】
連結筒部４３の内面後端部には、第１連通用溝３０と連通可能な第３連通用溝４５を凹設しており、連結筒部４３の外面後端部には第２連通用溝３３と連通可能な第４連通用溝４６を凹設している。これらの各連通用溝は、第１連通用溝３０と第３連通用溝４５とが連通状態にある場合には、第２連通用溝３３と第４連通用溝４６が非連通であり、逆に、第２連通用溝３３と第４連通用溝４６が連通状態にある場合には、第１連通用溝３０と第３連通用溝４５とが非連通状態にある。また、後述するストップ位置の場合には、第１連通用溝３０と第３連通用溝４５とが非連通であり、第２連通用溝３３と第４連通用溝４６も非連通であり、どららも非連通となる。
【００２６】
また、回動筒内前壁４１ｂ前面の中央上部に、横円柱状の第１チップ嵌合用突部４７を突設し、その周囲に突設した円筒部とで、第１チップ嵌合用突部４７外周に第１ノズルチップ嵌合用の第１環状凹溝４８を設け、また、第１チップ嵌合用突部４７の１２０°回動位置である中央左側部に同様形態の第２チップ嵌合用突部４９を突設し、その周囲に突設した円筒部とで、第２チップ嵌合用突部４９外周に第２ノズルチップ嵌合用の第２環状凹溝５０を設けている。
【００２７】
第１チップ嵌合用突部４７外面には第１ノズルチップ５１を嵌着しており、同様に第２チップ嵌合用突部４９外面には第２ノズルチップ５２を嵌着している。第１ノズルチップ５１は、第１噴出口５３を穿設した第１噴出口壁５４の周縁より第１周壁５５を延設し、第１噴出口壁５４裏面の第１噴出口５３周縁部にはスピン機構５６を刻設している。同様に第２ノズルチップ５２は、第２噴出口５７を穿設した第２噴出口壁５８の周縁より第２周壁５９を延設し、第２噴出口壁５８裏面の第２噴出口５７周縁部にはスピン機構５６を刻設している。各スピン機構５６は、図６の第１ノズルチップ５１を例に示す如く、第１噴出口５３の裏面周囲に湾曲した放射状凹部６０を凹設している公知形態のもので、ここを液が通過して第１噴出口５３より噴出された際に霧状に噴出される様に構成されている。第２ノズルチップ５２の場合も同様である。
【００２８】
また、上記第１チップ嵌合用突部４７外周面にはスピン機構５６と第１環状凹溝４８後端部内とを連通する第１凹溝６１を凹設し、上記第２チップ嵌合用突部４９外周面にはスピン機構５６と第２環状凹溝５０後端部内とを連通する第２凹溝６２を凹設している。それ等第１凹溝６１と連通する第１通孔６３及び第２凹溝６２と連通する第２通孔６４をそれぞれその後方の回動筒内前壁４１ｂに設けている。第１通孔６３は第１連通用溝３０と第３連通用溝４５が連通した状態で、第１連通用溝３０と連通し、第２通孔６４は第２連通用溝３３と第４連通用溝４６とが連通した状態で第２連通用溝３３と連通する如く構成している。
【００２９】
蓄圧弁体Ｆは、大径シリンダ２３内周を摺動する大径摺動部７０と小径シリンダ１２内周を摺動する小径摺動部７１とを、前後に連設した環状基部７２を備え、また、蓄圧弁座２４に圧接する弁板７３を備え、環状基部７２と弁板７３とを周方向複数の連結板７４により一体に連結して構成している。そして、弁板７３とコイルスプリング係止用の突部１４との間に、コイルスプリングｓを介在させて、常時蓄圧弁座２４に弁板７３を圧接している。
【００３０】
本発明では、霧の粒径を変化させることができる切替機構を備えている。上記第１噴出口５３と第２噴出口５７とはその径が相違し、第１噴出口５３が大径で第２噴出口５７が小径に構成されている。そして、大径の第１噴出口５３より噴出される霧は粒径が大きく、小径の第２噴出口５７より噴出される霧は粒径が小さく噴霧される。第１噴出口５３及び第２噴出口５７の実際の径或いは相対比等は噴霧する内容液の種類等により適宜選択すると良い。
【００３１】
上記切替機構は、ノズルＣの本体Ａに対する所定位置に於ける、本体Ａから蓄圧弁を介して第１噴出口５３のみに連通する第１流路が連通する状態と、ノズルＣの回転により本体Ａから蓄圧弁を介して第２噴出口５７のみに連通する第２流路が連通する状態とを、切替可能に構成している。
【００３２】
第１流路は、図２に示す如く、エレメントＢの連通孔２９から連結筒部４３の第３連通用溝４５、エレメントＢの第１連通用溝３０、第１通孔６３、第１チップ嵌合用突部４７の第１凹溝６１、スピン機構５６を介して第１噴出口５３に至る流路であり、また、第２流路は、図３に示す如く、エレメントＢの連通孔２９から連結筒部４３の第４連通用溝４６、エレメントＢの第２連通用溝３３、第２通孔６４、第２チップ嵌合用突部４９の第２凹溝６２、スピン機構５６を介して第２噴出口５７に至る流路である。
【００３３】
上記の如く構成したトリガー式噴霧器１を使用する場合について説明する。図１の状態からトリガーＥを引くと、内臓ポンプ機構の作用で射出筒１０先端から小径シリンダ１２及び大径シリンダ２３内に液が導入され、ここで、大径摺動部７０と小径摺動部７１との径差で生じる圧力により蓄圧弁体Ｆが上流側に押圧され、コイルスプリングｓの付勢力に抗して蓄圧弁が開き、加圧液がその下流に導入される。
【００３４】
その際、図２に示す如く、第１流路が連通している場合には、上記した如き第１流路を介して第１噴出口５３より霧として噴霧される。この際に霧は相対的に大きい粒径をなしている。尚、この状態は図５（イ）の状態であり、第２流路は非連通の状態にある。
【００３５】
次に、図５（イ）の状態からノズルＣをエレメントＢに対して１２０°回動させて図５（ロ）の状態にすると、ノズルＣが図２の状態から図３の状態となり、第２流路が連通し、第１流路が非連通となる。この状態で、再びトリガーＥを引いて液の噴出を行えば、加圧液は第２流路を介して第２噴出口５７より噴霧される。この場合の霧は相対的に粒径が小さくなる。
【００３６】
尚、本例では、第１流路が連通する状態と第２流路が連通する状態とを、中心角度で１２０°の離間位置とし、ノズルＣの本体Ａに対する第１流路の連通位置と、第２流路の連通位置との他に、両位置の２４０°離間位置の中央部を本体Ａ内と各第１噴出口５３及び第２噴出口５７とが非連通なストップ位置としている。このストップ位置はノズル外面等に設けた目印等により選択できる。この構成は他の実施例にも採用できる。
【００３７】
図７は実施例２を示し、本例は図１の例に於いて、筒部２８を、連結筒部４３の全外周に液密回動可能に嵌合した摺動筒部２８ａと、摺動筒部２８ａの外面よりフランジ２８ｂを介して二重筒状に延設するとともに、外周に回動筒４０を回動可能に嵌合させた嵌合筒部２８ｃとで構成し、嵌合筒部２８ｃの内周にノズルＣの回動筒部内前壁４１裏面より突設したシール筒部４４を液密回動が可能に嵌合させた。これにより、図１の例と比較して摺動筒部２８ａ前方の空間をなくすことができる。
【００３８】
本例の場合には先端がノズルＣ裏面に接触する状態の摺動筒部２８ａの内周先端部に第２連通用凹溝３３を凹設しており、第１連通用溝３０と第３連通用溝４５とが連通状態にある場合には、第２連通用溝３３と第４連通用溝４６が非連通であり、第２連通用溝３３と第４連通用溝４６が連通状態にある場合には、第１連通用溝３０と第３連通用溝４５とが非連通状態である点は実施例１と同様である。また、この場合に於ける第１流路及び第２流路は基本的には実施例１の場合と同様であり、第１流路は、エレメントＢの連通孔２９から連結筒部４３の第３連通用溝４５、エレメントＢの第１連通用溝３０、第１通孔６３、第１チップ嵌合用突部４７の第１凹溝６１、スピン機構５６を介して第１噴出口５３に至る流路である。また、第２流路は、実施例１と同様に第１流路連通状態からノズルＣを１２０°回動させて連通状態とし、エレメントＢの連通孔２９から連結筒部４３の第４連通用溝４６、エレメントＢの摺動筒部２８ａの第２連通用溝３３、第２通孔、第２チップ嵌合用突部の第２凹溝、スピン機構を介して第２噴出口に至る流路である。その他の構成は図１の例と同様であるため、同符号を付して説明を省略する。
【００３９】
図８は実施例３を示し、本例は図１の例に於いて、筒部２８を、連結筒部４３の全外周に液且つ回動可能に嵌合させており、筒部２８の外周に回動筒４０を液密回動が可能に嵌合させている。
【００４０】
本例の場合には先端がノズルＣ裏面に接触する状態の筒部２８の内周先端部に第２連通用凹溝３３を凹設しており、第１連通用溝３０と第３連通用溝４５とが連通状態にある場合には、第２連通用溝３３と第４連通用溝４６が非連通であり、第２連通用溝３３と第４連通用溝４６が連通状態にある場合には、第１連通用溝３０と第３連通用溝４５とが非連通状態にある点は実施例１と同様である。また、この場合に於ける第１流路及び第２流路も基本的には実施例１の場合と同様であり、第１流路は、エレメントＢの連通孔２９から連結筒部４３の第３連通用溝４５、エレメントＢの第１連通用溝３０、第１通孔６３、第１チップ嵌合用突部４７の第１凹溝６１、スピン機構５６を介して第１噴出口５３に至る流路である。また、第２流路は、実施例１と同様に第１流路連通状態からノズルＣを１２０°回動させて連通状態とすることができ、エレメントＢの連通孔２９から連結筒部４３の第４連通用溝４６、エレメントＢの摺動筒部２８ａの第２連通用溝３３、第２通孔、第２チップ嵌合用突部の第２凹溝、スピン機構を介して第２噴出口に至る流路である。その他の構成は図１の例と同様であるため、同符号を付して説明を省略する。
【符号の説明】
【００４１】
１：トリガー式噴霧器
Ａ：本体
１０…射出筒、１１…先端壁、１２…小径シリンダ、１３…支持筒、
１４…コイルスプリング係止用の突部、１５…流路孔
Ｂ：エレメント
２０…嵌合筒、２１…画壁、２２…弁座筒，２３…大径シリンダ、２４…蓄圧弁座、
２５…係止突条、２６…切欠、２７…中心軸、２８…筒部、２８ａ…摺動筒部、
２８ｂ…フランジ、２８ｃ…嵌合筒部、２９…連通孔、３０…第１連通用溝、
３３…第２連通用溝
Ｃ：ノズル
４０…回動筒、４１…前壁、４１ａ…回動筒内前壁、４２…外周壁、４３…連結筒部、
４４…シール筒部、４５…第３連通用溝、４６…第４連通用溝、
４７…第１チップ嵌合用突部、４８…第１環状凹溝、４９…第２チップ嵌合用突部、
５０…第２環状凹溝、５１…第１ノズルチップ、５２…第２ノズルチップ、
５３…第１噴出口、５４…第１噴出口壁、５５…第１周壁、５６…スピン機構、
５７…第２噴出口、５８…第２噴出口壁、５９…第２周壁、６０…放射状凹部
６１…第１凹溝、６２…第２凹溝、６３…第１通孔、６４…第２通孔、
Ｄ：装着筒
Ｅ：トリガー
Ｆ…蓄圧弁体
７０…大径摺動部、７１…小径摺動部、７２…環状基部、７３…弁板、７４…連結板
ｓ…コイルスプリング
【図１】
0005630831.tif 000002
【図２】
0005630831.tif 000003
【図３】
0005630831.tif 000004
【図４】
0005630831.tif 000005
【図５】
0005630831.tif 000006
【図６】
0005630831.tif 000007
【図７】
0005630831.tif 000008
【図８】
0005630831.tif 000009